(57)【要約】【課題】床下構造体の当接部に形成される隙間部に、防蟻剤含有ペーストを充填して防蟻構造を構築した後、防蟻構造を再施工する必要が生じたときに、防蟻効果を低下させることなく、簡単な作業で効率良く作業を完了できるような防蟻施工方法を提供する。【解決手段】本実施形態の防蟻施工方法は、床下構造体の当接部に形成される隙間部に、防蟻剤含有ペーストを充填して１回目の防蟻構造を構築した後、防蟻構造を１回以上再施工するに際し、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工する。【選択図】図４
2020061993.tif 000002
【特許請求の範囲】
【請求項１】
床下構造体の当接部に形成される隙間部に、防蟻剤含有ペーストを充填して１回目の防蟻構造を構築した後、防蟻構造を１回以上再施工するに際し、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工することを特徴とする防蟻施工方法。
【請求項２】
各回で用いる前記防蟻剤含有ペーストは、それぞれ異なる色に着色されたものである請求項１に記載の防蟻施工方法。
【発明の詳細な説明】
【技術分野】
【０００１】
本発明は、建築物の床下構造体の当接部に形成される隙間部に、防蟻剤を含むペースト状組成物を充填してシロアリの侵入を防止するための防蟻施工方法に関し、殊にシロアリの侵入を防止するための防蟻構造を一旦施工した後、再度施工するための方法に関する。
【背景技術】
【０００２】
従来から、シロアリによる建築物の食害防止を目的として、床下地盤面に防蟻用薬剤を散布したり、建築時に土間コンクリートと基礎コンクリートの間に金属製の所謂蟻返しを設置したりする等の方法が行われている。
【０００３】
しかしながら、前者の防蟻用薬剤を散布する方法では、防蟻用薬剤が地下に浸み込んで地下水を汚染したり、床下に侵入した冠水等により防蟻用薬剤が外部に流出する等の環境上の問題があるとともに、長期にわたって防蟻用薬剤による防蟻効果を持続させることが困難な状況である。一方、後者の蟻返しによる方法では、シロアリが蟻返しを迂回して建築物の木製部材に侵入してくることを有効に防止できないという問題がある。
【０００４】
上記問題を解消する技術として、例えば特許文献１には、建築物の床下構造体の当接部に、防蟻剤およびラテックス含有水性エマルジョンを用いるシロアリ侵入防止剤が提案されている。
【０００５】
特許文献１に開示されたシロアリ侵入防止剤は、ペースト状であり、チューブ等の容器に充填して、それを施工現場で塗布できるという点では良好な作業性が期待できる。またペースト状のシロアリ侵入防止剤では、その塗布量を把握しやすいという利点がある。更にシロアリ侵入防止剤は流動性が良いので、土間コンクリートと基礎コンクリートの間に形成される隙間部に容易に充填されることによって、長期間にわたって防蟻効果を持続できる。
【先行技術文献】
【特許文献】
【０００６】
【特許文献１】特開２００１−２９９１８１号公報
【発明の概要】
【発明が解決しようとする課題】
【０００７】
特許文献１に開示されたシロアリ侵入防止剤は、ラテックス含有水性エマルジョンに防蟻剤を含ませることによって、防蟻効果を発揮させるものであり、防蟻剤の薬効は１０年程度持続できる。しかしながら、シロアリ侵入防止剤を用いて防蟻構造を構築した後、時間が経過するにつれて、防蟻剤の薬効は徐々に低下し、いずれは防蟻構造を再施工する必要が生じる。以下では、上記ラテックス含有水性エマルジョンのようなペースト状組成物に防蟻剤を含ませたものを「防蟻剤含有ペースト」と呼ぶ。
【０００８】
これまで防蟻構造を再施工するに当たっては、１回目に構築した防蟻構造の箇所から、乾燥して硬化した防蟻剤含有ペーストの全てを除去し、その除去した箇所に新たな防蟻剤含有ペーストを塗布して再施工するのが通常である。しかしながら、このような方法で防蟻構造を再施工すると、作業が煩雑となり、作業時間も長くなるという問題がある。
【０００９】
本発明はかかる事情に鑑みてなされたものであって、その目的は、床下構造体の当接部に形成される隙間部に、防蟻剤含有ペーストを充填して防蟻構造を施工した後、防蟻構造を再施工する際に、防蟻効果を低下させることなく、簡単な作業で効率良く作業を完了できる防蟻施工方法を提供することにある。
【課題を解決するための手段】
【００１０】
本発明者らは、上記課題を解決するために、様々な角度から検討を重ねた。その結果、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工するようにすれば、前記課題が解決できることを見出し、かかる知見に基づいて更に検討を重ねることによって本発明を完成した。
【００１１】
すなわち、本発明の一局面は、床下構造体の当接部に形成される隙間部に、防蟻剤含有ペーストを充填して防蟻構造を構築した後、防蟻構造を１回以上再施工するに際し、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工することを特徴とする。
【００１２】
本実施形態の防蟻再施工方法において、各回で用いる前記防蟻剤含有ペーストは、それぞれ異なる色に着色されたものであることが好ましい。
【発明の効果】
【００１３】
本発明によれば、床下構造体の当接部に形成される隙間部に、防蟻剤含有ペーストを充填して防蟻構造を構築した後、防蟻構造を再施工する際に、防蟻効果を低下させることなく、簡単な作業で効率良く作業を完了できる防蟻施工方法が提供できる。
【図面の簡単な説明】
【００１４】
【図１】図１は、床下構造体の当接部に形成される隙間部に、防蟻剤含有ペーストを充填して１回目の蟻構造を構築するときの防蟻構造例を示す概略説明図である。
【図２】図２は、図１に示した１回目の防蟻構造を構築するときに、防蟻剤含有ペーストを充填するために用いる充填用ノズルの構成を示す平面斜視図である。
【図３】図３は、充填用ノズルを用いて、床下構造体の当接部に形成される隙間部に、防蟻剤含有ペーストを充填するときの状態を示す概略説明図である。
【図４】図４は、防蟻構造の再施工を１回行うときの防蟻構造例を示す概略説明図である。
【図５】図５は、防蟻構造の再施工を２回行うときの防蟻構造例を示す概略説明図である。
【図６】図６は、防蟻構造を再施工するときに、防蟻剤含有ペーストを塗布するために用いる塗布用ノズルの構成を示す平面斜視図である。
【図７】図７は、防蟻構造の再施工を１回行うときの各実施形態を模式的示す説明図である。
【図８】図８は、防蟻構造の再施工を２回行うときの各実施形態を模式的に示す説明図である。
【発明を実施するための形態】
【００１５】
本実施形態の防蟻施工方法は、床下構造体の当接部に形成される隙間部に、防蟻剤含有ペーストを充填して１回目の防蟻構造を構築した後、防蟻構造を１回以上再施工するに際し、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工することを特徴とする。
【００１６】
以下、図面に基づき、本実施形態の防蟻施工方法について説明する。なお、下記の防蟻施工方法は、本発明方法の一例に過ぎず、これに限定される趣旨でないことは言うまでもない。
【００１７】
図１は、床下構造体の当接部に形成される隙間部に、防蟻剤含有ペーストを充填して１回目の防蟻構造を構築するときの防蟻構造例を示す概略説明図である。なお、建築物の床下構造体の当接部に形成される隙間部とは、図１に示すように、土間コンクリートと基礎コンクリートの間に形成される隙間部である。
【００１８】
図１において、１はコンクリート布基礎（基礎コンクリート）、２は土間コンクリート、３は地盤面と土間コンクリート１２の間に介在され、例えばポリエチレン（ＰＥ）等からなる防湿シート、を夫々示す。また図１に示した４は、防蟻剤含有ペーストを示している。なお、上記防湿シート３は、防湿の目的で用いられる防湿シートであれば特に限定されず、防蟻剤を含み防蟻性能を兼ねた防蟻・防湿シートであっても良い。
【００１９】
防蟻剤含有ペースト４は、流動性が良いように調整されており、防蟻剤含有ペースト４を塗布した段階で、図１に示したように、防蟻剤含有ペースト４と、基礎コンクリート１および土間コンクリート２との間は隙間なく充填された状態となる。また防蟻剤含有ペースト４を塗布する際に、防蟻剤含有ペースト４の流動性が高いことを見込んで、比較的厚く充填される。防蟻剤含有ペースト４を充填した後、乾燥および硬化後の収縮や施工ばらつき等を考慮しても、乾燥・硬化後に最低５ｍｍの厚さが確保できるように充填される。例えば、収縮量が最も大きくなる箇所（図２に示した最大厚さｄ１となる箇所）で、ｄ１は７〜８ｍｍ程度確保される。こうした状態を維持するためには、防蟻剤含有ペースト４のコンクリート布基礎１側の立ち上がり高さｈ１、および土間コンクリート１２側の幅ｗ１は、いずれも２０ｍｍ程度となる。なお、上記のような状態を確保するためには、防蟻剤含有ペースト４の粘度も適切に調整することが好ましい。
【００２０】
図２は、図１に示した防蟻構造を構築するときに、防蟻剤含有ペースト４を充填するために用いる充填用ノズルの構成を示す平面斜視図である。この充填用ノズル５は、ノズル開口部５ａが平面視で直角三角形になるように形成されている。
【００２１】
上記のような充填用ノズル５を用いて、床下構造体の当接部に形成される隙間部に、防蟻剤含有ペースト４を充填するときの状態を図３（概略説明図）に示す。充填用ノズル５は、防蟻剤含有ペースト４を収納したチューブ６の先端に取り付けて使用され、ノズル開口部５ａの形状に対応して、床下構造体の当接部に形成される隙間部に、防蟻剤含有ペースト４が円滑に充填される。
【００２２】
図４は、防蟻構造の再施工を１回行うときの防蟻構造例を示す概略説明図である。図１に示した防蟻構造を構築した後は、防蟻剤の薬効は徐々に低下し、いずれは防蟻構造を再施工する必要が生じる。防蟻構造を再施工するに際し、前回の防蟻構造を構築した領域（防蟻剤含有ペースト４が充填された領域）を覆うようにして防蟻剤含有ペースト４ａを塗布し、防蟻構造を再施工する。この再施工では、前回充填した防蟻剤含有ペースト４における防蟻剤消失率に相当する量の防蟻剤含有ペースト４ａで塗布する。防蟻剤含有ペースト４ａのコンクリート布基礎１側の立ち上がり高さｈ２、および土間コンクリート２側の幅ｗ２は、防蟻剤含有ペースト４ａの塗布量の把握する上での基準となるが、これらについては後述する。
【００２３】
図５は、防蟻構造の再施工を２回行うときの防蟻構造例を示す概略説明図である。図４に示した防蟻構造を再施工した後に、防蟻構造を再施工するに際し、前回の防蟻構造を構築した領域（防蟻剤含有ペースト４ａが塗布された領域）を覆うようにして防蟻剤含有ペースト４ｂを塗布し、防蟻構造を再施工する。この再施工では、前回までの防蟻構造を構築した領域（防蟻剤含有ペースト４が充填された領域をも含む）における防蟻剤消失率に相当する量の防蟻剤含有ペースト４ｂで塗布する。防蟻剤含有ペースト４ｂのコンクリート布基礎１側の立ち上がり高さｈ３、および土間コンクリート２側の幅ｗ３は、防蟻剤含有ペースト４ｂの塗布量の把握する上での基準となるが、これらについては後述する。
【００２４】
図６は、防蟻構造を再施工するときに、防蟻剤含有ペースト４ａ、４ｂを塗布するために用いる塗布用ノズルの構成を示す平面斜視図である。この塗布用ノズル７は、ノズル開口部７ａが平面視で略矩形状に形成されている。
【００２５】
このような塗布用ノズル７を用いて、防蟻剤含有ペースト４ａまたは４ｂを塗布する場合は、前記図３に示した場合と同様に、防蟻剤含有ペースト４ａまたは４ｂを収納したチューブ６（図示せず）の先端に取り付けて使用されるが、ノズル開口部７ａの形状の違いに対応して、比較的平坦な面に対しても防蟻剤含有ペースト４ａまたは４ｂが塗布されやすいようにされている。
【００２６】
本実施形態の防蟻施工方法では、前回までの防蟻構造を構築した領域での防蟻剤消失率に相当する量の防蟻剤含有ペーストで、前回の防蟻構造を構築した領域を覆うようにして塗布して再施工する。再施工までの期間は１０年程度となり、その間で再施工を適宜行うことになるが、再施工の際に前回までの防蟻構造を構築した領域での防蟻剤消失率を把握する必要がある。
【００２７】
前回までの防蟻構造を構築した領域での防蟻剤消失率は、当該領域での防蟻剤含有ペーストの一部を採取し、これを溶媒に溶解させた試料を用いることで、液体クロマトグラフィによって測定することができる。この防蟻剤消失率は、ペースト状組成物の種類、防蟻剤の種類等によっても異なるが、１０年間での消失率は、前回までの防蟻構造を構築した領域での初期の含有量に対して３０〜７０％程度（すなわち、残存率として７０〜３０％程度）となる。次に、前回までの防蟻構造を構築した領域での防蟻剤消失率に相当する量の防蟻剤含有ペーストを用いて再施工する状況を、図面を用いて説明する。
【００２８】
図７は、防蟻構造の再施工を１回行うときの各実施形態を模式的に示す説明図である。なお、図７に示した数値の「単位」は、「ｍｍ」である。例えば、図７（ａ）に示した「２０」および「６」は、前記図１に示した高さｈ１が２０ｍｍ、および前記図２に示した高さｈ２が６ｍｍであることを、それぞれ示している。また図７（ａ）には図示していないが、図１に示した幅ｗ１および図４に示した幅ｗ２は、それぞれ図７（ａ）に示した高さｈ１およびｈ２と対応した値（即ち、幅ｗ１：２０ｍｍ、および幅ｗ２：６ｍｍ）を採るものとする。これらの趣旨は、後述する図８についても同様である。
【００２９】
なお、以下の説明は、１回目の防蟻構造を構築した領域（防蟻剤含有ペースト４の領域）における充填初期（消失する前）での防蟻剤含有率を１００％とし、再施工するとき用いる防蟻剤含有ペースト中の防蟻剤の種類および含有量を前記「充填初期での防蟻剤含有量」と略同一とすることを前提としている。但し、防蟻剤に同様の防蟻効果が発揮されることが予想される場合には、防蟻剤含有ペースト４，４ａ，４ｂに含有する防蟻剤の種類については異なっていてもよく、或いは各種の防蟻剤を併用してもよい。要するに、再施工するときに、充填初期（消失する前）と同等の防蟻剤含有率が確保できていればよい。
【００３０】
図７（ａ）に示した状態は、防蟻構造を再施工するまでに防蟻剤含有ペースト４中の防蟻剤が３０％消失した場合（すなわち防蟻剤の残存率が７０％の場合）を想定している。シロアリは、柱に向かって進むため、シロアリの侵入を防止するためには、防蟻剤含有ペースト４ａは、垂直方向に距離を出すように塗布することが重要となる。こうした観点から、消失した防蟻剤含有率に相当する量となるように、すなわち高さｈ１が２０ｍｍの３０％（２０ｍｍ×０．３＝６ｍｍ）となるように、防蟻剤含有ペースト４の上に防蟻剤含有ペースト４ａ重ね塗りする。このように、防蟻剤含有ペースト４ａを重ね塗りすることによって、見掛け上、１回目の防蟻構造を構築した領域における充填初期と同等の防蟻剤含有率を確保した状態となる。
【００３１】
図７（ｂ）に示した状態は、再施工するまでに防蟻剤含有ペースト４中の防蟻剤が５０％消失した場合（すなわち、防蟻剤の残存率が５０％）を想定している。この場合には、消失した防蟻剤含有率に相当する量となるように、すなわち高さｈ１が２０ｍｍの５０％（２０ｍｍ×０．５＝１０ｍｍ）となるように、防蟻剤含有ペースト４の上に防蟻剤含有ペースト４ａ重ね塗りする。このように、防蟻剤含有ペースト４ａを重ね塗りすることによって、見掛け上、１回目の防蟻構造を構築した領域における充填初期と同等の防蟻剤含有率を確保した状態となる。
【００３２】
図７（ｃ）に示した状態は、再施工するまでに防蟻剤含有ペースト４中の防蟻剤が７０％消失した場合（すなわち、防蟻剤の残存率が３０％）を想定している。この場合には、消失した防蟻剤含有率に相当する量となるように、すなわち高さｈ１が２０ｍｍの７０％（２０ｍｍ×０．７＝１４ｍｍ）となるように、防蟻剤含有ペースト４の上に防蟻剤含有ペースト４ａ重ね塗りする。このように、防蟻剤含有ペースト４ａを重ね塗りすることによって、見掛け上、１回目の防蟻構造を構築した領域における充填初期と同等の防蟻剤含有率を確保した状態となる。
【００３３】
図８は、防蟻構造の再施工を２回行うときの各実施形態を模式的に示す説明図である。図８（ａ）は、図７（ａ）で１回目の再施工をした後に２回目の再施工をすることを想定したものであり、図８（ｂ）は、図７（ｂ）で１回目の再施工した後に２回目の再施工をすることを想定したものであり、図８（ｃ）は、図７（ｃ）で１回目の再施工した後に２回目の再施工をすることを想定したものである。
【００３４】
図８（ａ）に示した状態は、１回目の再施工から２回目の再施工までの５年間で、防蟻剤含有ペースト４中の防蟻剤の含有率が更に半減すると仮定（すなわち、防蟻剤の残存率が３５％）した場合を示したものである。この場合には、防蟻剤含有ペースト４中の防蟻剤消失率（３５％）に相当する量となるように、すなわち高さｈ２が２０ｍｍの３５％（２０ｍｍ×０．３５＝７ｍｍ）となるように、防蟻剤含有ペースト４ａの上に防蟻剤含有ペースト４ｂを重ね塗りする。このように、防蟻剤含有ペースト４ｂを重ね塗りすることによって、見掛け上、１回目の防蟻構造を構築した領域における充填初期と同等の防蟻剤含有率を確保した状態となる。
【００３５】
なお、２回目の再施工では、１回目の再施工の防蟻剤含有ペースト４ａにおける防蟻剤消失率も考慮する。しかしながら、再施工前の防蟻剤含有ペースト４からの防蟻剤消失率に比較して１回目の再施工の防蟻剤含有ペースト４ａからの防蟻剤消失率は小さく、再施工前の防蟻剤含有ペースト４からの防蟻剤消失率に相当する量の防蟻剤含有ペースト４ｂを塗布すれば、１回目の再施工で塗布した防蟻剤含有ペースト４ａからの防蟻剤消失率は十分補填できる（図８（ｂ）および（図８（ｃ）についても同様）。
【００３６】
図８（ｂ）に示した状態は、１回目の再施工から２回目の再施工までの５年間で、防蟻剤含有ペースト４中の防蟻剤の含有率が更に半減すると仮定（すなわち、防蟻剤の残存率が２５％）した場合を示したものである。この場合には、防蟻剤含有ペースト４中の防蟻剤消失率（２５％）に相当する量となるように、すなわち高さｈ２が２０ｍｍの２５％（２０ｍｍ×０．２５＝５ｍｍ）となるように、防蟻剤含有ペースト４ａの上に防蟻剤含有ペースト４ｂを重ね塗りする。このように、防蟻剤含有ペースト４ｂを重ね塗りすることによって、見掛け上、１回目の防蟻構造を構築した領域における充填初期と同等の防蟻剤含有率を確保した状態となる。
【００３７】
図８（ｃ）に示した状態は、１回目の再施工から２回目の再施工までの５年間で、防蟻剤含有ペースト４中の防蟻剤の含有率が更に半減すると仮定（すなわち、防蟻剤の残存率が１５％）した場合を想定したものである。この場合には、防蟻剤含有ペースト４中の防蟻剤消失率（１５％）に相当する量となるように、すなわち高さｈ２が２０ｍｍの１５％（２０ｍｍ×０．１５＝３ｍｍ）となるように、防蟻剤含有ペースト４ａの上に防蟻剤含有ペースト４ｂを重ね塗りする。このように、防蟻剤含有ペースト４ｂを重ね塗りすることによって、見掛け上、１回目の防蟻構造を構築した領域における充填初期と同等の防蟻剤含有率を確保した状態となる。
【００３８】
上記では、再施工を２回行う実施形態について説明したが、再施工の回数は２回とは限らず、必要によって、３回若しくは４回以上行っても良いことは勿論である。また、再施工するまでの期間についても、防蟻剤の種類に応じて適宜選択すれば良い。
【００３９】
本実施形態の防蟻施工方法で用いるペースト状組成物の種類については、ペースト状となる防蟻剤含有ペーストが得られるものであれば特に限定するものではなく、例えば前記特許文献１に提案されているような、ラテックス含有水性エマルジョンを含むものであっても良い。このラテックス含有水性エマルジョンは、水のラテックスが分散したペースト状のものであり、水およびラテックスを必須成分として含有し、ゴム弾性被膜を形成し得るものである。本実施形態の防蟻再施工方法で用いるペースト状組成物は、上記のようなラテックス含有水性エマルジョンに限らず、アクリル酸アルキルエステル樹脂等の樹脂を主成分として含むものであっても良い。
【００４０】
本実施形態の防蟻再施工方法で用いる防蟻剤含有ペーストには、その特性を損なわない範囲で、通常用いられる添加剤を添加することもできる。このような添加剤としては、無機顔料（水酸化ルミニウム、酸化チタン、カーボン等）、有機顔料（フタロシアニンブルー等）、顔料分散剤（トリポリリン酸ナトリウム等）、充填剤（炭酸カルシウム、シリカ、珪藻土等）、分散剤（ポリアクリル酸ナトリウム、ヘキサメタリン酸ナトリウム等）、老化防止剤（アルデヒド・ケトン・アミン反応生成物およびその誘導体等）、防腐・防黴剤［環状窒素硫黄系化合物（ＢＩＴ：１，２−Ｂｅｎｚｉｓｏｔｙｉａｚｏｌｉｎ−３−ｏｎｅ）、イソチアゾリン系化合物］等を添加することができる。これらの添加剤を添加する場合には、単独または合計で、５質量％以下とすることが好ましい。このうち無機顔料および有機顔料については、防蟻剤含有ペーストに様々な色を着色する上で有用なである。
【００４１】
防蟻剤含有ペースト中の防蟻剤としては、コンクリートが強アルカリ性であるので、アルカリによって変性するようなリン系防蟻剤では所望の薬効が得られないので好ましくない。従って、防蟻用組成物をコンクリートに接触した場合でも所望の防蟻効果が得られる防蟻剤、例えば、非エステルピレスロイド系薬剤（シラフルオフィン、エトフィンプロックス等）、ピレスロイド系薬剤（ペルメトリン、アレスリン、トラロメスリン、ビフェントリン等）、カーバメイト系薬剤（プロボクスル、フェノブカルブ、セビン等）、トリアジン系薬剤（トリプロピルイソシアヌレート等）、ネオニコチノイド系薬剤（イミダクロプリド等）等の使用が推奨される。これらは、１種または２種以上を併用して用いることができる。防蟻剤含有ペースト中の防蟻剤の含有量は、その効果およびコストを考慮すれば、防蟻剤含有ペースト全体に対して、０．０５〜２．０質量％程度であることが好ましい。
【００４２】
本実施形態の防蟻施工方法で用いる防蟻剤含有ペーストは、基本的に流動性の良いペースト状であり、上記各種添加剤の配合量を変えることによって、粘度を調整することができるが、本実施形態の防蟻施工方法で用いる防蟻含有ペースの常温（２５℃）における粘度は、７０〜１２０Ｐａ・Ｓ程度であることが好ましい。この粘度があまり高くなり過ぎると、防蟻剤含有ペーストの充填性や塗布性が悪くなる。また粘度があまり低くなると、防蟻剤含有ペーストを充填若しくは塗布した後に「垂れ」が生じ、乾燥後に所定量の防蟻剤含有ペーストを確保することが難しくなる。但し、１回目の防蟻構造を構築するときの防蟻剤含有ペーストと、防蟻構造を再施工するときの防蟻剤含有ペーストとでは、粘度を異なるようにすることは有用である。すなわち、１回目の防蟻構造を構築するときの防蟻剤含有ペーストの粘度を上記範囲内で高めにするとともに、防蟻構造を再施工するときの防蟻剤含有ペーストの粘度を上記範囲内で低めにすることは、作業性を向上する上で有用である。例えば、１回目は１００〜１２０Ｐａ・Ｓ、再施工では７０〜１１０Ｐａ・Ｓ程度が好ましい。
【００４３】
以上、本発明の概要について説明したが、本実施形態の防蟻施工方法をまとめると、下記の通りである。
【００４４】
本実施形態の防蟻施工方法は、床下構造体の当接部に形成される隙間部に、防蟻剤含有ペーストを充填して防蟻構造を構築した後、防蟻構造を１回以上再施工するに際し、前回までの防蟻構造を構築した領域での防蟻剤消失率に相当する量の防蟻剤含有ペーストで、前回の防蟻構造を構築した領域を覆うようにして塗布し、２回目以降の防蟻構造を再施工することを特徴とする。
【００４５】
こうした構成を採用することによって、防蟻効果を低下させることなく、簡単な作業で効率良く作業を完了できるような防蟻施工方法が提供できる。また、防蟻剤含有ペーストを塗布するため、塗布・乾燥後、塗布した領域の形が残り、その塗布量を把握しやすいという利点がある。しかも、再施工では防蟻剤含有ペーストを、前回の防蟻構造を構築した領域に重ね塗りすることによって、防蟻剤の消失やブリードをより抑制し、防蟻効果を発揮できる期間をより長くできる。
【００４６】
また本実施形態の防蟻施工方法では、各回で用いる前記防蟻剤含有ペーストは、それぞれ異なる色に着色されたものであることが好ましい。前述した無機顔料および有機顔料の種類や配合量を適宜調整することによって、グレー色、オレンジ色、淡黄色等、防蟻剤含有ペーストに様々な色を着色することができる。こうした構成を採用することによって、再施工回数を確認することができる。
【符号の説明】
【００４７】
１  コンクリート布基礎（基礎コンクリート）
２  土間コンクリート
３  防湿シート
４，４ａ，４ｂ  防蟻剤含有ペースト
５  充填用ノズル
６  チューブ
７  塗布用ノズル
【図１】
2020061993.tif 000003
【図２】
2020061993.tif 000004
【図３】
2020061993.tif 000005
【図４】
2020061993.tif 000006
【図５】
2020061993.tif 000007
【図６】
2020061993.tif 000008
【図７】
2020061993.tif 000009
【図８】
2020061993.tif 000010